(57)【要約】      （修正有）【課題】植物の抗酸化物質含量を高める方法を提供する。【解決手段】（ａ）波長の光線透過率を調整または保持する少なくとも１つの光透過性材料を、光源と植物の光受容体との間に配置することと；（ｂ）該光源が発する光が該光透過性材料を通過すると、該光透過性材料が、３４０ｎｍ〜５００ｎｍ領域の光線透過率を６５％より低くする；５００ｎｍ〜６００ｎｍ領域の光線透過率を６０％より低くする；および６００ｎｍ〜８５０ｎｍ領域の光線透過率を８３％より低くする；のうち、少なくとも２つの波長領域を調整することとを含む。【選択図】図３
2019122353.tif 000002
【特許請求の範囲】
【請求項１】
植物の抗酸化物質含量を高める方法であって、（ａ）波長の光線透過率を調整または保持する少なくとも１つの光透過性材料を、光源と植物の光受容体との間に配置することと；（ｂ）該光源が発する光が該光透過性材料を通過すると、該光透過性材料が、３４０ｎｍ〜５００ｎｍ領域の光線透過率を６５％より低くする；５００ｎｍ〜６００ｎｍ領域の光線透過率を６０％より低くする；および６００ｎｍ〜８５０ｎｍ領域の光線透過率を８３％より低くする；のうち、少なくとも２つの波長領域を調整することとを含む方法。
【請求項２】
該抗酸化物質が、アスコルビン酸、各種ビタミン、アントシアニジン、エラグ酸またはポリフェノール類化合物である、請求項１に記載の方法。
【請求項３】
単層または多層の光透過性材料の組合せで植物を遮ることにより、３４０ｎｍ〜５００ｎｍ領域の光線透過率を６５％より低くする；５００ｎｍ〜６００ｎｍ領域の光線透過率を６０％より低くする；および６００ｎｍ〜８５０ｎｍ領域の光線透過率を８３％より低くする；のうち、少なくとも２つの波長領域を調整する、請求項１に記載の方法。
【請求項４】
該光透過性材料の色を制御することにより、植物を遮って、３４０ｎｍ〜５００ｎｍ領域の光線透過率を６５％より低くする；５００ｎｍ〜６００ｎｍ領域の光線透過率を６０％より低くする；および６００ｎｍ〜８５０ｎｍ領域の光線透過率を８３％より低くする；のうち、少なくとも２つの波長領域を調整する、請求項１に記載の方法。
【請求項５】
該光透過性材料が、生地、織編ネット、ガーゼ、織編布、プラスチック製布、プラスチックフィルム、プラスチック紙、プラスチックシート、断熱紙、ガラス、遮光塗料または不織布を指す、請求項１に記載の方法。
【請求項６】
該光透過性材料が、桃色、サファイヤブルー、青色、赤紫色または濃赤紫色のプラスチックフィルムまたは織編ネットを指す、請求項４に記載の方法。
【請求項７】
該光透過性材料が、桃色で、織編密度が４５％より高いネットである、請求項１に記載の方法。
【請求項８】
自然環境または温室で使用する、請求項１に記載の方法。
【発明の詳細な説明】
【技術分野】
【０００１】
本発明は、植物の抗酸化物質含量を高める方法に関する。
【背景技術】
【０００２】
光合成は、植物、藻類およびいくつかの細菌が、クロロフィルを利用し、光の照射下で、二酸化炭素、水または硫化水素を炭水化物に変換することである。光合成は、酸素発生型光合成（ｏｘｙｇｅｎｉｃ  ｐｈｏｔｏｓｙｎｔｈｅｓｉｓ）および酸素非発生型光合成（ａｎｏｘｙｇｅｎｉｃ  ｐｈｏｔｏｓｙｎｔｈｅｓｉｓ）に分けることができる。植物が食物連鎖の生産者と言われているのは、光合成により、無機物を利用して有機物を生成し、エネルギーを貯蔵することができるためであり、そのエネルギー変換効率は約６％である。食物連鎖により、消費者は植物が貯蔵したエネルギーを吸収することができ、効率は１０％前後である。大多数の生物にとって、この過程は生存する鍵となる。地球上の炭素、酸素循環において、光合成は最も重要な循環の１つである。
【０００３】
温室栽培はＬＥＤライトを利用して、自然光源を補助または代替することを始めており、ＬＥＤが園芸分野で用いられる鍵はクロロフィルの吸収スペクトルである。研究者は、クロロフィルの吸収スペクトルのピーク値が赤色光および青色光領域にあり、吸収される緑色光は比較的少なく、クロロフィルの吸収スペクトルのピーク値は４００〜５００ナノメートル（ｎｍ）および６００〜７００ｎｍの赤色光および青色光領域に位置することを見出している。現在、大多数の栽培工場で使用される人工光源は、依然として狭スペクトル光源であり、濃青色光４５５ｎｍおよび濃赤色光６６０ｎｍで設計した照明器具も、発光ピークがそれぞれ青色および赤色であるＬＥＤチップを混合している。実際に、園芸に特化して応用し、最適化したソリッドステート照明製品であり、大多数がまだ研究段階にある。高効率の青色ＬＥＤはすでに相当な時間経過しているが、赤色ＬＥＤの効率は一般的にさらなる向上が必要であり、特に波長６６０ｎｍのＬＥＤおよび波長７３０ｎｍのＬＥＤが理想的である。
【０００４】
光質および植物の発育の関係について、最も著名な文献は、Ｒ．Ｅ．ＫｅｎｄｒｉｃｋおよびＧ．Ｈ．Ｍ．Ｋｒｏｎｅｎｂｅｒｇの「Ｐｈｏｔｏ  ｍｏｒｐｈｏｇｅｎｅｓｉｓ  ｉｎ  Ｐｌａｎｔ」における論述資料（１９８６，Ｍａｒｔｉｎｕｓ  Ｎｉｊｈｏｆｆ  Ｐｕｂｌｉｓｈｅｒｓ）である。様々なスペクトル範囲の植物生理に対する影響は、表１に示す通りである。
【０００５】
表１、様々なスペクトル範囲の植物生理に対する影響
【０００６】
【表１】
2019122353.tif 000003
【０００７】
一般的に、光色の光合成に対する影響は異なると考えられているが、実際は、光合成過程において、光色の影響に違いは無いため、フルスペクトルの使用が植物の発育に最も有利である（Ｈａｒｒｙ  Ｓｔｉｊｇｅｒ，Ｆｌｏｗｅｒ  Ｔｅｃｈ，２００４年第７（２）号）。植物のスペクトルに対する最高感度領域は４００〜７００ｎｍであり、この領域のスペクトルは光合成有効放射領域と通常呼ばれる。太陽光エネルギーの約４５％はこの部分のスペクトルにあるため、植物光源のスペクトル分布もこの範囲に近くなければならない。
【０００８】
光源が放射する光子エネルギーは波長により異なり、例えば波長４００〜５００ｎｍ（青色光）のエネルギーは、６００〜７００ｎｍ（赤色光）のエネルギーの１．７５倍であるが、光合成に対しては、両者の波長の作用は同じである。緑色スペクトルにおける光合成することができない余分なエネルギーは、熱量に変換される。言い換えると、植物の光合成の速度は、４００〜７００ｎｍにおける植物が吸収することができる光子数で決まり、各スペクトルで放出される光子数と関係しない。植物は、すべてのスペクトルに対して感度が異なるが、それは主に葉身内の色素の特殊な吸収性によるものである。クロロフィルは植物でよく見られる色素であるが、クロロフィルは光合成で唯一有用な色素ではなく、その他の色素も光合成に関与するため、光合成の効率はクロロフィルの吸収スペクトルのみを考慮することはできない。植物の形態的発達および葉身の色に対して、植物は各種バランスのとれた光源を受けなければならない。青色光源（４００〜５００ｎｍ）は、植物の分化および気孔の調節に対して十分に重要である。青色光が不足し、遠赤色光の比率が多い場合、茎部が過度に成長し、葉身の黄化が容易に引き起こされる。赤色光スペクトルＲ（６５５〜６６５ｎｍ）のエネルギーと、遠赤色光スペクトルＦＲ（７２５〜７３５ｎｍ）のエネルギーとの比率Ｒ／ＦＲが１．０から１．２の間であると、植物の発育は正常であるが、植物が異なると、スペクトル比率に対する感度も異なる。
【０００９】
国際特許第２０１４／０１５０２０号は、植物の生長を促進する方法と、光量積算装置および方法とを開示している。これは波長を５００ナノメートル以下（領域Ａ）、５００〜６３０ナノメートル（領域Ｂ）、および６３０ナノメートル以上（領域Ｃ）に調整または保持する光透過性材料を、光源と植物の光合成受容体との間に配置して、植物の生長を促進する。ただ、様々な波長を植物へ照射することは、植物自体の含有成分の多寡に影響を及ぼすかどうかはわからない。
【先行技術文献】
【特許文献】
【００１０】
【特許文献１】国際特許第２０１４／０１５０２０号明細書
【非特許文献】
【００１１】
【非特許文献１】Ｒ．Ｅ．ＫｅｎｄｒｉｃｋおよびＧ．Ｈ．Ｍ．Ｋｒｏｎｅｎｂｅｒｇ，Ｐｈｏｔｏ  ｍｏｒｐｈｏｇｅｎｅｓｉｓ  ｉｎ  Ｐｌａｎｔ，Ｍａｒｔｉｎｕｓ  Ｎｉｊｈｏｆｆ  Ｐｕｂｌｉｓｈｅｒｓ，１９８６
【非特許文献２】Ｈａｒｒｙ  Ｓｔｉｊｇｅｒ，Ｆｌｏｗｅｒ  Ｔｅｃｈ，２００４年第７（２）号
【発明の概要】
【課題を解決するための手段】
【００１２】
本文中の用語「１」または「１種の」は、本発明の要素および成分を記載するのに用いられる。この用語は、記載を便利にし、本発明の基本的な発想を提供するためのものに過ぎない。この記載は、１種の、または少なくとも１種の、を含むことが理解されるべきであり、明らかに他に示すものがある以外は、単数で表すとき、複数も含まれる。特許請求の範囲において、「含む」という語と共に使用されるとき、該用語「１」は、一つまたは一つ以上を意味することができる。
【００１３】
本文中の用語「または」は、「および／または」と同じ意味である。
【００１４】
本発明は、植物の抗酸化物質含量を高める方法に関する。本発明は、（ａ）波長の光線透過率を調整または保持する少なくとも１つの光透過性材料を、光源と植物の光受容体との間に配置することと；（ｂ）該光源が発する光が該光透過性材料を通過すると、該光透過性材料が、３４０ｎｍ〜５００ｎｍ領域の光線透過率を６５％より低くする；５００ｎｍ〜６００ｎｍ領域の光線透過率を６０％より低くする；および６００〜８５０ｎｍ領域の光線透過率を８３％より低くする；のうち、少なくとも２つの波長領域を調整することとを含む。
【００１５】
本文中の「波長」は、光の波長を指す。好ましい具体的な実施例において、該波長は該光源が発する光の波長を指す。
【００１６】
もう１つの具体的な実施例において、該光源は自然光源および人工光源を含むが、これに限定されない。好ましい具体的な実施例において、該自然光源は太陽を含む。もう１つの具体的な実施例において、該人工光源はＬＥＤライトを含む。
【００１７】
本文中の「光線透過率（ｌｉｇｈｔ  ｔｒａｎｓｍｉｔｔａｎｃｅ）」という語は、光源が発する光が該光透過性材料を通る前および後の、照度（ｉｌｌｕｍｉｎａｎｃｅ）または光量子束密度（ｐｈｏｔｏｎ  ｆｌｕｘ  ｄｅｎｓｉｔｙ）の比率を指す。例を挙げると、「入射光」は媒体（例えば本発明の光透過性材料）を通る前の光であり、「透過光」は媒体を通った後の光であり、透過光の照度を入射光の照度で割った後、１００％を乗じた値が光線透過率である。
【００１８】
本発明の該光透過性材料は、すべての型式のメッシュ生地（不織布を含む）、平織ネット（布）、プラスチックフィルム（布または紙）、プラスチックシート、ガラス、遮光塗料（水性および油性を含む）などの人工材料を使用することができる。太陽光源が発する各領域の波長に対する光線透過率は、それぞれ以下に示す通りである。
４００ｎｍ以下の領域の光線透過率を６２％より低くする。
４００ｎｍ〜５００ｎｍ領域の光線透過率を６５％より低くする。
５００ｎｍ〜６００ｎｍ領域の光線透過率を５５％より低くする。
６００ｎｍ〜７００ｎｍ領域の光線透過率を８０％より低くする。
７００ｎｍ〜８００ｎｍ領域の光線透過率を８３％より低くする。
８００ｎｍ以上の領域の光線透過率を８３％より低くする。
３４０ｎｍ〜８５０ｎｍ領域の全光線透過率を７５％より低くする。および／または
４００ｎｍ〜７００ｎｍ領域の可視光領域の全光線透過率を６８％より低くする。
【００１９】
３つの領域の波長を独立した変数ｘ、ｙおよびｚとすると、３４０ｎｍ〜５００ｎｍ領域の光線透過率ｘ％を６５％より低くし；５００ｎｍ〜６００ｎｍ領域の光線透過率ｙ％を６０％より低くし；６００ｎｍ〜８５０ｎｍ領域の光線透過率ｚ％を８３％より低くする。さらにこの３つの領域の波長のうち、少なくとも２つの光線透過率が上記条件に符合すれば、植物が抗酸化物質を生成するのを増進することができる。当業者は、上記光線透過率の範囲を少し変えて、単層または多層（少なくとも２層）の光透過性材料で植物を多重に遮り、上記光線透過率の範囲内より低くすることを達成することができる。したがって、本発明の方法は、単層または多層（少なくとも２層）の光透過性材料を各種組み合わせて植物を遮り、３４０ｎｍ〜５００ｎｍ領域の光線透過率を６５％より低くする；５００ｎｍ〜６００ｎｍ領域の光線透過率を６０％より低くする；６００ｎｍ〜８５０ｎｍ領域の光線透過率を８３％より低くする；のうち、少なくとも２つの波長領域を調整する効果を達成することができる。
【００２０】
植物をこの光線透過率内で植えると、植物の栄養生長段階の生成物または生殖生長段階の生成物などに関わらず、植物の品質が高くなる。品質の向上は食感、風味、甘さ以外に、人体の健康に対して相対的に有益な成分、例えば美白物質および抗酸化物質（アスコルビン酸、アントシアニジン、ポリフェノール類化合物、各種ビタミンおよびエラグ酸を含むが、これに限定されない）などをより増加させた。
【００２１】
現在、抗酸化のメカニズムおよび抗老化のメカニズムは、密接に関係することがすでに知られているため、本文中の「抗酸化物質」は「抗老化物質」と言うこともできる。すなわち該物質は、抗酸化／抗老化の効果を有する。
【００２２】
本発明の光受容体は、クロロフィルａ（Ｃｈｌｏｒｏｐｈｙｌｌ  ａ）、クロロフィルｂ（Ｃｈｌｏｒｏｐｈｙｌｌ  ｂ）、クロロフィルｆ（Ｃｈｌｏｒｏｐｈｙｌｌ  ｆ）またはカロテノイド（Ｃａｒｏｔｅｎｏｉｄ）、フィトクロム（ｐｈｙｔｏｃｈｒｏｍｅ）などの植物受容体を指す。
【００２３】
本発明の方法は、該光透過性材料の色または異なる色間の比率を制御することにより、各領域の波長の光線透過率を調整または保持する。好ましい実施例において、該光透過性材料の色は、桃色、濃青色、サファイヤブルー、青色、赤紫色、濃赤紫色またはその組合せを含むが、これに限定されない。したがって、該光透過性材料の色は同一の色であるか、または２種以上の異なる色を有し、このうち該２種以上の異なる色のうち、各異なる色の比率を調整／制御し、各領域の波長の光線透過率を調整または保持する効果を達成しなければならない。
【００２４】
該光透過性材料は、生地、織編ネット、ガーゼ、織編布、プラスチック製布、プラスチック紙、プラスチックフィルム、プラスチックシート、断熱紙、ガラス、遮光塗料（水性および油性を含む）または不織布を含むが、これに限定されない。好ましい実施例において、該光透過性材料は、プラスチックフィルム、プラスチックシート、ガラス、遮光塗料または織編ネットを指す。該光透過性材料は、桃色、濃青色、サファイヤブルー、青色、赤紫色または濃赤紫色のプラスチックフィルムまたは織編ネットを含むが、これに限定されない。好ましい実施例において、該光透過性材料は桃色で、織編密度が４５％より高いネットである。
【００２５】
本発明の光透過性材料が布類材料（例えば織編ネット、織編布、プラスチック製布または不織布）であるとき、その織編密度は光線透過率に影響を及ぼす。該織編密度は１０％〜９０％の間であることを含むが、これに限定されない。好ましい実施例において、該光透過性材料の織編密度は４５％〜９０％の間である。
【００２６】
他に、本発明の光透過性材料がプラスチックフィルム、プラスチックシート、ガラスまたは遮光塗料（水性および油性を含む）であるとき、その色の濃度も光線透過率に影響を及ぼす。該色の濃度は１０％〜９０％の間であることを含むが、これに限定されない。好ましい実施例において、該光透過性材料の色の濃度は４５％〜９０％の間である。
【００２７】
本発明は、他に光透過性材料および植物の距離を調整して、生長効率を制御することができる。これは、植物の光受容体の作用における最適温度、湿度、風速および光度を補正の基準とする。
【００２８】
本発明は、植物の生長時における、各段階で必要な光の特性の違いに基づいて、異なる色の光透過性材料を採用し、光を特定段階で必要な最適比率に調整することができ、これにより植物の抗酸化物質含量を高める。本発明の方法は、自然環境または人工環境（温室を含むが、これに限定されない）で使用することができる。
【００２９】
本発明の方法は、各種野菜、果物に使用することができ、リンゴ、ブドウ、各種ベリー類（イチゴ、ブルーベリー、ラズベリーなど）、トマト、ハミウリ、メロンおよびアスパラガスなどを含むが、これに限定されない。これらの野菜、果物は、抗酸化力および抗酸化物質の生成量を高める効果を達成する。
【図面の簡単な説明】
【００３０】
【図１】図１は、本発明の実施例である。
【図２】図２は、桃色（ｍａｇｅｎｔａ）で、織編密度５０％のネットの様々な波長における光量子束密度との関係図である。このうち１は１回目の測定（太陽光）であり、２は２回目の測定（織編密度５０％の桃色ネットを介する）である。
【図３】図３は、白色で織編密度５０％、桃色で織編密度５５％のネットと、織編密度が５５％より高い桃色ネットとを光が通過した後における、各領域の波長の光線透過率である。
【発明を実施するための形態】
【００３１】
図１に示すように、光源１０を植物の葉またはその他の光受容体の前に配置し、植物に光量を放射する。光透過性材料をまだ通過していない光２０は、光透過性材料３０とする桃色、サファイヤブルー、青色または濃青色のプラスチックフィルムまたは織編ネットにより波長がろ過され、光透過性材料を通過した光４０が植物５０に照射される。すなわち、適したスペクトル範囲に調整または保持することができ、これにより植物の抗酸化物質を高める。
【００３２】
図２は、桃色（ｍａｇｅｎｔａ）で、織編密度５０％のネットの様々な波長における光量子束密度との関係図である。このうち１は１回目の測定（太陽光）であり、２は２回目の測定（織編密度５０％の桃色ネットを介する）である。
【００３３】
抗酸化力および活性成分の分析
照射下、パパイヤの株を白色透明で織編密度５０％のネット、桃色で織編密度５５％のネット、桃色で織編密度が５５％より高いネットの下方に配置する。３つの織編ネットを光が通過した後における、各領域の波長の光線透過率は図３の通りである。
【００３４】
他に、本発明はさらにパパイヤの株を白色透明で織編密度５０％のネット、および桃色で織編密度４５％のネットの下方に配置する。上記織編ネットを光が通過した後における、各波長の光線透過率は表２の通りである。
【００３５】
表２、白色で織編密度５０％、および桃色で織編密度４５％のネットを光が通過した後における、各領域の波長の光線透過率
【００３６】
【表２】
2019122353.tif 000004
【００３７】
本発明は、様々な光透過性材料が植物の抗酸化力および抗酸化物質の生成に与える影響をさらに分析する。
（１）イチゴ果実の分析実験
照射下で、イチゴの株を対照群（白色透明、織編密度５０％のネット）、処理１（桃色、織編密度が５５％より高いネット）、および処理２（桃色、織編密度５５％のネット）の下方に配置する。３つの織編ネットを光が通過した後における、イチゴ果実の抗酸化力および抗酸化物質含量を分析する。その結果は表３に示す通りである。
【００３８】
表３、様々な光透過性材料がイチゴ果実の抗酸化力および抗酸化物質含量に与える影響
【００３９】
【表３】
2019122353.tif 000005
【００４０】
したがって、イチゴ果実の抗酸化指標であるＡＢＴＳ＋消去率は、処理１のサンプルの消去率が最も高く、６２．６８±４．５７％の消去率に達することができる。ポリフェノール類化合物の結果は、処理１のサンプルの含量が最も高いことを示しており、濃度は５．２８±０．０４ｍｇ  ｏｆ  ＧＡＥ／ｇであるが、エラグ酸はいずれも＜０．００６２５ｍｇ／ｇである。アスコルビン酸含量は０．４０ｍｇ／ｇ〜０．５８ｍｇ／ｇの間であり、このうち対照群は最も低く、濃度は０．４０±０．００３１ｍｇ／ｇである。アントシアニジンの含量も処理１が最も高く、濃度は１．６１±０．００５４ｍｇ／ｇである。結果は、処理１および処理２の織編ネットが、いずれもイチゴ果実の抗酸化力および抗酸化物質含量を高めることができることを示している。
【００４１】
（２）Ａ品種のパパイヤ果実の分析実験
照射下、Ａ品種のパパイヤの株を対照群（白色透明、織編密度５０％のネット）、処理１（桃色、織編密度が５０％より高いネット）、および処理２（桃色、織編密度５０％のネット）の下方に配置する。３つの織編ネットを光が通過した後における、Ａ品種のパパイヤ果実の抗酸化力および抗酸化物質含量を分析する。その結果は表４に示す通りである。
【００４２】
表４、様々な光透過性材料がＡ品種のパパイヤ果実の抗酸化力および抗酸化物質含量に与える影響
【００４３】
【表４】
2019122353.tif 000006
【００４４】
したがって、Ａ品種のパパイヤ果実の抗酸化指標であるＡＢＴＳ＋消去率は、処理１のサンプルの消去率が最も高く、４５．２０±３．５２％の消去率に達することができる。ポリフェノール類化合物の結果は、処理１のサンプルの含量が最も高いことを示しており、濃度は３．１９±０．０４ｍｇ  ｏｆ  ＧＡＥ／ｇであるが、エラグ酸はいずれも＜０．００６２５ｍｇ／ｇである。アスコルビン酸含量は０．３０ｍｇ／ｇ〜０．４３ｍｇ／ｇの間であり、このうち対照群は最も低く、濃度は０．３０±０．００３１ｍｇ／ｇである。アントシアニジン含量も処理１が最も高く、濃度は１．５０１±０．００４２ｍｇ／ｇである。結果は、処理１および処理２の織編ネットが、いずれもＡ品種のパパイヤ果実の抗酸化力および抗酸化物質含量を高めることができることを示している。
【００４５】
（３）Ｂ品種のパパイヤ果実の分析実験
照射下、Ｂ品種のパパイヤの株を対照群（白色透明、織編密度５０％のネット）、処理１（桃色、織編密度が５０％より高いネット）、処理２（桃色、織編密度５０％のネット）の下方に配置する。３つの織編ネットを光が通過した後における、Ｂ品種のパパイヤ果実の抗酸化力および抗酸化物質含量を分析する。その結果は表５に示す通りである。
【００４６】
表５、様々な光透過性材料がＢ品種のパパイヤ果実の抗酸化力および抗酸化物質含量に与える影響
【００４７】
【表５】
2019122353.tif 000007
【００４８】
したがって、Ｂ品種のパパイヤ果実の抗酸化指標であるＡＢＴＳ＋消去率は、処理１のサンプルの消去率が最も高く、３７．７０±３．２５％の消去率に達することができる。ポリフェノール類化合物の結果は、処理１のサンプルの含量が最も高いことを示しており、濃度は３．１９±０．０４ｍｇ  ｏｆ  ＧＡＥ／ｇであるが、エラグ酸はいずれも＜０．００６２５ｍｇ／ｇである。アスコルビン酸含量は０．３１ｍｇ／ｇ〜０．４５ｍｇ／ｇの間であり、このうち対照群が最も低く、濃度は０．３１±０．００３３ｍｇ／ｇである。アントシアニジン含量も処理１が最も高く、濃度は１．５００±０．００４２ｍｇ／ｇである。結果は、処理１および処理２の織編ネットが、いずれもＢ品種のパパイヤ果実の抗酸化力および抗酸化物質含量を高めることができることを示している。
【００４９】
したがって、本発明の光透過性材料をイチゴおよびパパイヤ上で使用すると、抗酸化力および抗酸化物質の生成量を上昇させる効果を得ることができる。
【００５０】
上記の詳細な説明は、本発明の好ましい実施方式を具体的に説明したものであるが、本発明を限定するものではない。したがって、当業者が本発明の主旨および範囲を逸脱せずに行った同等の実施または変更は、いずれも本発明の特許請求の範囲内に包含されるべきである。
【符号の説明】
【００５１】
１０  光源
２０  光透過性材料をまだ通過していない光
３０  光透過性材料
４０  光透過性材料を通過した光
５０  植物
【図１】
2019122353.tif 000008
【図２】
2019122353.tif 000009
【図３】
2019122353.tif 000010
【外国語明細書】
2019122353000001.pdf